(57)【特許請求の範囲】
【請求項１】
プラグコネクタに対して脱着可能に連結されるレセプタクルコネクタであって、
インシュレータと、
前記プラグコネクタ及び前記レセプタクルコネクタの着脱方向に対し直交する方向に沿って前記インシュレータにおいて複数の雌型コンタクトが配列された雌型コンタクト群を備え、
前記雌型コンタクトは、前記プラグコネクタの雄型コンタクトを挟持するアーム対と、電線が電気的に接続されるべき接続部を有し、
前記雌型コンタクトは、少なくとも２つの分離独立した金属部材を電気的に接続するように組み合わせて構成され、前記少なくとも２つの金属部材は、前記雌型コンタクトが前記アーム対及び前記接続部を有するように組み合わされ、
前記インシュレータは、各一次射出成形部において前記少なくとも２つの金属部材が固定された複数の一次射出成形部と、前記複数の一次射出成形部が固定された二次射出成形部を備える、レセプタクルコネクタ。
【請求項２】
前記雌型コンタクトは、第１金属部材及び第２金属部材から構成され、前記第１金属部材及び第２金属部材は、前記アーム対を構成するべく対向して配置された第１アーム部及び第２アーム部を含み、前記第１アーム部及び第２アーム部は、それらの自由端寄りの位置で所定のクリアランスを画定するように形状付けられることを特徴とする請求項１に記載のレセプタクルコネクタ。
【請求項３】
前記接続部は、前記第１及び第２金属部材の第１及び第２平板部が積層された積層平板部であることを特徴とする請求項２に記載のレセプタクルコネクタ。
【請求項４】
前記所定のクリアランスにより前記プラグコネクタと前記レセプタクルコネクタの着脱に必要な力が設定されることを特徴とする請求項２又は３に記載のレセプタクルコネクタ。
【請求項５】
前記一次射出成形部は、前記少なくとも２つの金属部材の対向配置により画定された空間を埋めることを特徴とする請求項１に記載のレセプタクルコネクタ。
【請求項６】
前記一次射出成形部は、前記二次射出成形部から露出する露出面を有することを特徴とする請求項１又は５に記載のレセプタクルコネクタ。
【請求項７】
前記複数の雌型コンタクトの各雌型コンタクトに対して前記複数の一次射出成形部の各一次射出成形部が設けられることを特徴とする請求項１乃至６のいずれか一項に記載のレセプタクルコネクタ。
【請求項８】
プラグコネクタの雄型コンタクトを挟むように構成されたアーム対と、電線が電気的に接続されるべき接続部を備える複数の雌型コンタクトを含む雌型コンタクト群が設けられたレセプタクルコネクタの製造方法であって、
少なくとも２つの金属部材を組み合わせて各雌型コンタクトを構成する工程と、
各雌型コンタクトに対して一次射出成形を行うことで複数の一次射出成形品を得る工程にして、各一次射出成形品の一次射出成形部に前記少なくとも２つの金属部材が固定される工程と、
前記複数の一次射出成形品に対して二次射出成形を行い、前記雌型コンタクト群が設けられたインシュレータを形成する工程にして、前記インシュレータの二次射出成形部には前記複数の一次射出成形品の一次射出成形部が固定される工程を含む、レセプタクルコネクタの製造方法。
【発明の詳細な説明】
【技術分野】
【０００１】
本発明は、レセプタクルコネクタ及びその製造方法に関する。
【背景技術】
【０００２】
特許文献１は、プラグ及びレセプタクルからなる電力供給用コネクタ装置を開示し、特には、その図３に図示のように、メインコンタクト端子に加えてクリーニング用端子を設けることを開示する。
【先行技術文献】
【特許文献】
【０００３】
【特許文献１】国際公開第２０１８／１７３６２４号
【発明の概要】
【発明が解決しようとする課題】
【０００４】
本願の図１３は、特許文献１の図２（Ｃ）に示した雌型コンタクト端子を示す。図１３（ａ）及び図１３（ｂ）に図示のように、雌型コンタクト２３’は、一枚の金属板を複数の箇所で屈曲させることによって構成される。この場合、プラグコネクタの雄型コンタクトを挟むためのアーム対２４１に所定のクリアランスＧ１を再現性高く形成することが容易ではなく、この点は、インサート成形により雌型コンタクトがインシュレータに固定された後も同様である。なお、アーム対２４１のクリアランスＧ１を高精度にすることによってプラグコネクタとレセプタクルコネクタの着脱に要する力を目標範囲内にすることができる。着脱に要する力が大きすぎると、プラグとレセプタクルの着脱時にコネクタや接続配線に不要に大きな力がかかってしまう。着脱に要する力が小さすぎると、衝撃を受ける時、プラグとレセプタクル間の電気的導通が遮断されてしまうリスクが高まる。
【０００５】
上述の非限定の例示の課題に鑑みて、本願発明者は、アーム対が有するべき所定のクリアランスのばらつきの防止、或いは、その容易な微調整を促進するレセプタクルコネクタを提供するという新たな課題を見出した。
【課題を解決するための手段】
【０００６】
本開示の一態様に係るレセプタクルコネクタは、プラグコネクタに対して脱着可能に連結されるレセプタクルコネクタであって、
インシュレータと、
前記プラグコネクタ及び前記レセプタクルコネクタの着脱方向に対し直交する方向に沿って前記インシュレータにおいて複数の雌型コンタクトが配列された雌型コンタクト群を備え、
前記雌型コンタクトは、前記プラグコネクタの雄型コンタクトを挟持するアーム対と、電線が電気的に接続されるべき接続部を有し、
前記雌型コンタクトは、少なくとも２つの分離独立した金属部材を電気的に接続するように組み合わせて構成され、前記少なくとも２つの金属部材は、前記雌型コンタクトが前記アーム対及び前記接続部を有するように組み合わされる。
【０００７】
幾つかの実施形態においては、前記雌型コンタクトは、第１金属部材及び第２金属部材から構成され、前記第１金属部材及び第２金属部材は、前記アーム対を構成するべく対向して配置された第１アーム部及び第２アーム部を含み、前記第１アーム部及び第２アーム部は、それらの自由端寄りの位置で所定のクリアランスを画定するように形状付けられる。
【０００８】
幾つかの実施形態においては、前記接続部は、前記第１及び第２金属部材の第１及び第２平板部が積層された積層平板部である。
【０００９】
幾つかの実施形態においては、前記インシュレータは、前記少なくとも２つの金属部材が固定された一次射出成形部と、前記一次射出成形部が固定された二次射出成形部を備える。
【００１０】
幾つかの実施形態においては、前記一次射出成形部は、前記少なくとも２つの金属部材の対向配置により画定された空間を埋める。
【００１１】
幾つかの実施形態においては、前記一次射出成形部は、前記二次射出成形部から露出する露出面を有する。
【００１２】
本開示の別態様に係るレセプタクルコネクタの製造方法は、
プラグコネクタの雄型コンタクトを挟むように構成されたアーム対と、電線が電気的に接続されるべき接続部を備える複数の雌型コンタクトを含む雌型コンタクト群が設けられたレセプタクルコネクタの製造方法であって、
少なくとも２つの金属部材を組み合わせて各雌型コンタクトを構成する工程と、
各雌型コンタクトに対して一次射出成形を行うことで１つ又は複数の一次射出成形品を得る工程と、
前記１つ又は複数の一次射出成形品に対して二次射出成形を行い、前記雌型コンタクト群が設けられたインシュレータを形成する工程を含む。
【発明の効果】
【００１３】
本開示の一態様によれば、アーム対が有するべき所定のクリアランスのばらつきの防止、或いは、その容易な微調整を促進するレセプタクルコネクタを提供することができる。
【図面の簡単な説明】
【００１４】
【図１】図１（ａ）は、本開示の一態様に係るプラグコネクタとレセプタクルコネクタの連結体の概略的な側面図である。図１（ｂ）は、本開示の一態様に係るプラグコネクタとレセプタクルコネクタの連結状態を示す概略図である。
【図２】本開示の一態様に係るレセプタクルコネクタの概略的な斜視図である。
【図３】本開示の一態様に係るレセプタクルコネクタの概略的な斜視図であり、図２の反対側を示す。
【図４】本開示の一態様に係るレセプタクルコネクタの概略的な上面図である。
【図５】本開示の一態様に係るレセプタクルコネクタの概略的な下面図である。
【図６】図６（ａ）は、信号線及び電力線が取り付けられたレセプタクルコネクタの概略的な上面図である。図６（ｂ）は、信号線及び電力線が取り付けられたレセプタクルコネクタの概略的な下面図である。
【図７】図７（ａ）は、雄型コンタクトの概略的な斜視図である。図７（ｂ）は、雄型コンタクトの概略的な側面図である。
【図８】図８（ａ）は、第１及び第２金属部材の組み合わせから構成された雌型コンタクトの概略的な斜視図である。図８（ｂ）は、その上面図である。図８（ｃ）は、その側面図である。
【図９】図９（ａ）は、第１及び第２金属部材の組み合わせから構成された雌型コンタクトの概略的な斜視図である。図９（ｂ）は、その上面図である。図９（ｃ）は、その側面図である。
【図１０】電力伝送用雌型コンタクト及び一次射出成形部を示す概略的な斜視図である。
【図１１】プラグコネクタとレセプタクルコネクタが連結する時、レセプタクルコネクタのインシュレータに設けられたロック部にプラグコネクタが接触する形態を示す概略的な断面模式図である。
【図１２】レセプタクルコネクタの製造工程を示す概略的なフローチャートである。
【図１３】特許文献１に開示された雌型コンタクトの概略的な斜視図及び上面図である。
【発明を実施するための形態】
【００１５】
以下、図１乃至図１３を参照しつつ、本開示に係る様々な実施形態及び特徴について説明する。当業者は、過剰説明を要せず、各実施形態及び／又は各特徴を組み合わせることができ、この組み合わせによる相乗効果も理解可能である。実施形態間の重複説明は、原則的に省略する。参照図面は、発明の記述を主たる目的とするものであり、作図の便宜のために簡略化されている。各特徴は、本明細書に開示されたコネクタ及びその製造方法にのみ有効であるものではなく、本明細書に開示されていない他の様々なコネクタ及びその製造方法にも通用する普遍的な特徴として理解される。
【００１６】
本開示の非限定の一例に係るプラグコネクタ１及びレセプタクルコネクタ２を図１（ａ）に示す。プラグコネクタ１とレセプタクルコネクタ２は着脱方向Ｄ１にて着脱可能である。本明細書においては、図１（ａ）に示す着脱方向において、レセプタクルコネクタ２からプラグコネクタ１に向かう方向を上方とし、プラグコネクタ１からレセプタクルコネクタ２に向かう方向を下方とする。なお、プラグコネクタ１及びレセプタクルコネクタ２は、バッテリーコネクタの一種である。
【００１７】
プラグコネクタ１は、インシュレータ１１と、雄型コンタクト群１２とを有する。雄型コンタクト群１２は、複数の雄型コンタクト１３がインシュレータ１１上で着脱方向Ｄ１に直交する幅方向Ｄ２に沿って配列されている。
【００１８】
レセプタクルコネクタ２は、インシュレータ２１と、雌型コンタクト群２２とを有する。雌型コンタクト群２２は、複数の雌型コンタクト２３がインシュレータ２１上で着脱方向Ｄ１に直交する幅方向Ｄ２に沿って配列されている。
【００１９】
各コンタクト１３，２３は、インシュレータ１１，２１に部分的に埋め込まれ、インシュレータ１１，２１に固定されるが、この態様に限定されるべきではない。コンタクト１３，２３をインシュレータ１１，２１に差し込んでインシュレータ１１，２１に固定しても良い。インシュレータ１１，２１は、樹脂等の絶縁性材料から成る。コンタクト１３，２３は、黄銅、リン青銅、純銅といった金属から成る。
【００２０】
プラグコネクタ１には電力伝送用コンタクト１３ａ，１３ｇと、信号伝送用コンタクト１３ｂ，１３ｃ，１３ｄ，１３ｅ，１３ｆとが設けられる。レセプタクルコネクタ２には電力伝送用コンタクト２３ａ，２３ｇと、信号伝送用コンタクト２３ｂ，２３ｃ，２３ｄ，２３ｅ，２３ｆとが設けられる。
【００２１】
プラグコネクタ１及びレセプタクルコネクタ２のうち、いずれか一方がバッテリー（電源側）に接続され、いずれか他方がモジュール（受電側）に接続される。レセプタクルコネクタ２がバッテリーに接続される場合、レセプタクルコネクタ２の電力伝送用コンタクト２３ａ，２３ｇにバッテリーのプラス端子及びマイナス端子が個別に接続される。
【００２２】
プラグコネクタ１の電力伝送用コンタクト１３ａ，１３ｇにはレセプタクルコネクタ２に接続されたバッテリーから電力供給を受けるべき負荷（例えば、電源モジュール）が接続される。同様、レセプタクルコネクタ２の信号伝送用コンタクト２３ｂ，２３ｃ，２３ｄ，２３ｅ，２３ｆにバッテリーの信号端子が個別に接続される。
【００２３】
プラグコネクタ１の信号伝送用コンタクト１３ｂ，１３ｃ，１３ｄ，１３ｅ，１３ｆにはレセプタクルコネクタ２に接続されたバッテリーからの出力信号を受けるべき負荷（例えば、信号処理モジュール）が接続される。伝送される信号は、バッテリーの状態及び制御に関する情報を搬送し、又は、バッテリーとは無関係の情報を搬送する。
【００２４】
雄型コンタクト１３は、第１接続部１４及び第２接続部１５を有する。同様、雌型コンタクト２３は、第１接続部２４及び第２接続部２５を有する。雄型コンタクト１３の第１接続部１４は、着脱方向Ｄ１に延びる平板であり、その先端部が先細りに構成される。雄型コンタクト１３の第２接続部１５は、着脱方向Ｄ１及び幅方向Ｄ２に直交する方向Ｄ３（以下、接続方向）に延びる平板である。
【００２５】
なお、雄型コンタクト１３は、主平板部１６と、Ｌ字部１７とを含む（図７参照）。主平板部１６は、着脱方向Ｄ１に延びる。主平板部１６の一端部に第１接続部１４が設けられる。主平板部１６の他端部にＬ字部１７が連結される。Ｌ字部１７は、主平板部１６と同一方向に延びる短尺部１８と、主平板部１６とは異なる方向（接続方向Ｄ３）に延びる長尺部１９を有する。短尺部１８は、短尺部１８が主平板部１６から張り出すように主平板部１６の角部に対して結合する。長尺部１９は、短尺部１８に結合した第１端部と、第１端部の反対側の第２端部を有する。長尺部１９の第２端部に第２接続部１５が設けられる。
【００２６】
雌型コンタクト２３の第１接続部２４は、雄型コンタクト１３の第１接続部１４を挟むべく構成されたアーム対である。アーム対は、着脱方向Ｄ１においてインシュレータ２１から延在する。
【００２７】
なお、雄型コンタクト１３の第２接続部１５には電線が電気的に接続される。同様、雌型コンタクト２３の第２接続部２５には電線が電気的に接続される。電線は、電気が通じる任意の導体であり、例えば、金属芯線が絶縁被覆により覆われた絶縁電線、又は様々な種類のケーブルが例示できる。一般的に、ケーブルの直径は、絶縁電線の直径よりも大きい。
【００２８】
雌型コンタクト２３ａ〜２３ｇの第１接続部２４ａ〜２４ｇは、インシュレータ２１において、プラグコネクタ１に対面する側に設けられる。第１接続部２４ａ〜２４ｇは、幅方向Ｄ２に沿って所定ピッチで配列される。第１接続部２４ａ〜２４ｇそれぞれがアーム対２４’により構成される。アーム対２４’は、着脱方向Ｄ１に延びる。
【００２９】
雌型コンタクト２３ｂ〜２３ｆの第２接続部２５ｂ〜２５ｆは、幅方向Ｄ２において所定ピッチで配列される。電力伝送用コンタクト２３ａ，２３ｇの第２接続部２５ａ，２５ｇは、幅方向Ｄ２に沿って延在する積層平板部である。信号伝送用コンタクト２３ｂ〜２３ｆの第２接続部２５ｂ〜２５ｆは、着脱方向Ｄ１及び幅方向Ｄ２に直交する接続方向Ｄ３に沿って延在する積層平板部である。
【００３０】
電力伝送用コンタクト２３ａ，２３ｇの第２接続部２５ａ，２５ｇは、信号伝送用コンタクト２３ｂ〜２３ｆの第２接続部２５ｂ〜２５ｆを挟んでその両側に設けられる。第２接続部２５ａと第２接続部２５ｂが幅方向Ｄ２において隣接する。第２接続部２５ｇと第２接続部２５ｆが幅方向Ｄ２において隣接する。
【００３１】
電力伝送用コンタクト２３ａ，２３ｇの第２接続部２５ａ，２５ｇに電力伝送用ケーブル９ａ，９ｇの一端がネジ止めされ、信号伝送用コンタクト２３ｂ〜２３ｆに対して信号電線９ｂ〜９ｆの一端が連結具で接続される。電力伝送用ケーブル９ａ，９ｇの他端はバッテリーの電源端子にネジ止めされる。信号電線９ｂ〜９ｆの他端はバッテリーの信号端子に接続される。
【００３２】
コンタクト２３ａ〜２３ｇの第２接続部２５ａ〜２５ｇは、接続方向Ｄ３に沿って電線が電気的に接続される部分であり、各電線は、第２接続部２５ａ〜２５ｇに電気的に接続された後、接続方向Ｄ３に沿って延びる。コンタクト２３ａ〜２３ｇから信号線と電力線が同一方向に引き出され、信号線と電力線を束ねることもできる。特には、電力伝送用コンタクト２３ａ，２３ｇの第２接続部２５ａ，２５ｇに電気的に接続された電力伝送用ケーブル９ａ，９ｇは、インシュレータ１１，２１に設けられた貫通孔２８，２９と重ね合わされない。これは、貫通孔２８，２９が、幅方向Ｄ２において電力伝送用ケーブル９ａ，９ｇからオフセットして設けられるためである。これによって、電力伝送用コンタクト２３ａ，２３ｇに電気的に接続された電力伝送用ケーブル９ａ，９ｇによってレセプタクルコネクタ２を所定位置に取り付けることが妨げられない。
【００３３】
なお、貫通孔２８，２９は、雌型コンタクト群２２が設けられたインシュレータ２１の本体部２１ｍから接続方向Ｄ３にオフセットして設けられ、端的には、接続方向Ｄ３に延びるタブ８８，８９に設けられる。貫通孔２８，２９は、着脱方向Ｄ１においてタブ８８，８９を貫通する。タブ８８，８９と後述のロッド受入孔５１ｇは、接続方向Ｄ３に延びる同一の軸線上に設けられる。インシュレータ本体２１ｍには幅方向Ｄ２に延びる軸線に対して鋭角をなす斜め方向に延びる他のタブ８６，８７も結合し、そこに貫通孔２６，２７が設けられる。レセプタクルコネクタ２について述べた特徴は、プラグコネクタ１にも通用する。
【００３４】
レセプタクルコネクタ２は、シール部材と共に用いられ得る。貫通孔２６，２７，２８，２９を介して固定具（例えば、ボルト）によってインシュレータ２１が他の部材に固定される時、シール部材が変形する。シール部材としてＯリングが例示できるが、これに限られない。シール部材は、水密性又は気密性を高めるために設けられ得る。シール部材を設ける場所は、例えば、レセプタクルコネクタ２とこれが取り付けられる他の部材の間である。
【００３５】
図８に示すように、信号伝送用コンタクト２３ｂ〜２３ｆは、２つの分離独立した金属部材３１，３２（第１及び第２金属部材３１，３２と呼ぶ）の組み合わせにより構成されている。第１及び第２金属部材３１，３２は、雌型コンタクト２３が（第１接続部２４としての）アーム対２４’と（第２接続部２５としての）接続部２５とを有するように組み合わされる。第１金属部材３１は、着脱方向Ｄ１に延びる第１アーム部３１１、接続方向Ｄ３に延びる第１平板部３１２、及び第１アーム部３１１と第１平板部３１２を連結する第１連結部３１３を有する。同様、第２金属部材３２は、着脱方向Ｄ１に延びる第２アーム部３２１、接続方向Ｄ３に延びる第２平板部３２２、及び第２アーム部３２１と第２平板部３２２を連結する第２連結部３２３を有する。
【００３６】
第１アーム部３１１と第２アーム部３２１が対向配置され、第１接続部２４、特には、アーム対２４’が構成される。第１アーム部３１１と第２アーム部３２１の間にプラグコネクタ１の雄型コンタクト１３の挿通空間が画定される。第１アーム部３１１と第２アーム部３２１は、それらの自由端寄りの位置で所定のクリアランスＧ１を画定するように形状付けられる。第１平板部３１２と第２平板部３２２が積層され、接続部２５が構成される。
【００３７】
第１アーム部３１１及び第２アーム部３２１は、着脱方向Ｄ１においてインシュレータ２１から離間するに応じてお互いに接近する近位傾斜部３１４，３２４と、着脱方向Ｄ１においてインシュレータ２１から離間するに応じてお互いに離間する遠位傾斜部３１５，３２５を有する。第１アーム部３１１は、近位傾斜部３１４と遠位傾斜部３１５の間で屈曲した屈曲部３１６を有する。同様、第２アーム部３２１は、近位傾斜部３２４と遠位傾斜部３２５の間で屈曲した屈曲部３２６を有する。屈曲部３１６は、屈曲部３２６に対向する弧状面を有する。同様、屈曲部３２６は、屈曲部３１６に対向する弧状面を有する。
【００３８】
屈曲部３１６及び３２６のクリアランスＧ１を所定値又は所定範囲内とすることによってプラグコネクタ１とレセプタクルコネクタ２の着脱に必要な力を目標範囲内とすることができる。各アーム部３１１，３２１には、その屈曲性を高めるためにアーム先端からアーム基端側に向けて並行に延びる溝３６が形成される。アーム部３１１，３２１には必要な範囲でめっきが施され、雄型コンタクト１３との良好な電気的接続が確保される。
【００３９】
１つの雌型コンタクト２３が２つの分離独立した金属部材３１，３２により構成される。従って、上述のクリアランスＧ１が許容範囲外であるとしても、アーム部３１１，３２１の間隔調整を行ってクリアランスＧ１を目標範囲内とすることができる。インシュレータ２１への金属部材３１，３２の埋め込み後においても同様である。なお、図１３に示す従来例の雌型コンタクト２３’は、一枚の金属部材の対向配置されたアーム部３１１’，３２１’が連結部３９で連結されている。従って、アーム部３１１’，３２１’同士の間隔調整が容易ではない。
【００４０】
接着、機械的嵌合等の適切な方法によって２つの分離独立した金属部材３１，３２を結合し、その相対変位を阻止することが有利である。これにより製造効率が向上し、又は上述のクリアランスＧ１のバラツキが防止される。図９及び図１０に示す場合、インサート成形によって、２つの金属部材３１，３２が一次射出成形部２１ａに部分的に埋め込まれて固定される。一つの雌型コンタクト２３が一つの一次射出成形部２１ａに固定される形態の他、複数の雌型コンタクト２３が一つの一次射出成形部２１ａに固定される形態も想定される。インサート成形によって、一次射出成形部２１ａは、二次射出成形部２１ｂに固定される（図１（ｂ）参照）。一次射出成形部２１ａと二次射出成形部２１ｂは同一又は異なる材料から成り、同一又は異なる色を有する。
【００４１】
図１０に示すように、レセプタクルコネクタ２の電力伝送用コンタクト２３ａ，２３ｇは、信号伝送用コンタクト２３ｂ〜２３ｆと同様、２枚の分離独立した金属部材３１，３２の組み合わせにより構成される。信号伝送用コンタクト２３ｂ〜２３ｆと異なる点として、電力伝送用コンタクト２３ａ，２３ｇの接続部２５は、接続方向Ｄ３ではなく幅方向Ｄ２に沿って延びる。
【００４２】
信号伝送用コンタクト２３ｂ〜２３ｆと電力伝送用コンタクト２３ａ，２３ｇの両方について、一次射出成形部２１ａは、金属部材３１，３２の対向配置により画定された空間、端的には、アーム部３１１，３２１の基端側部分の対向配置により画定された空間を埋め、金属部材３１，３２の間隔変動を阻止する。一次射出成形部２１ａは、二次射出成形部２１ｂから露出する１つ又は複数の露出面を有し（図２，３参照）、これにより二次射出成形部２１ｂの体積及び樹脂量を低減することができる。
【００４３】
レセプタクルコネクタ２のインシュレータ２１に対してカバー４０が取り付けられる。カバー４０には、雌型コンタクト２３のアーム対２４’に向かうプラグコネクタ１の雄型コンタクト１３の第１接続部１４の挿通を許容する受け口４１が設けられる。受け口４１は、雌型コンタクト２３に対応して設けられ、雌型コンタクト２３の上方で開口する。受け口４１は、接続方向Ｄ３に延びてカバー４０の外周まで到達し、カバー４０を櫛形形状にする。
【００４４】
幾つかの形態では、インシュレータ２１には着脱方向Ｄ１においてインシュレータ２１からカバー４０が外れることを阻止するロック部７１が設けられ、レセプタクルコネクタ２に対してプラグコネクタ１が連結される時、ロック部７１とプラグコネクタ１が接触状態になる。これによって、インシュレータ２１からカバー４０が外れることが抑制される。カバー４０の貫通孔にインシュレータ２１のロック突起が挿入され、ロック突起の頂部を塑性変形することによりロック部７１を形成することができる。ロック部７１は、着脱方向Ｄ１に延びる軸部７１ａと、軸部７１ａに対して結合した頭部７１ｂを有する。頭部７１ｂは、軸部７１ａから径方向外側に膨出した部分を含む。ロック部としてボルト又はねじを用いることもできる。
【００４５】
プラグコネクタ１及びレセプタクルコネクタ２の一方にアライメント用ロッド５１を設け、他方にアライメント用ロッド５１を受け入れるロッド受入孔５１ｇが設けられる。図１１に示すように、プラグコネクタ１の壁部１１ｇにアライメント用ロッド５１が固定され、レセプタクルコネクタ２にロッド受入孔５１ｇが設けられる。ロッド受入孔５１ｇは、幅方向Ｄ２において雌型コンタクト群２２を挟んで両側に設けられる。アライメント用ロッド５１をロッド受入孔５１ｇに挿入することによって雄型コンタクト１３と雌型コンタクト２３が着脱方向Ｄ１において同一軸線上に配置される。雄型コンタクト１３は、カバー４０の受け口４１を通過して雌型コンタクト２３のアーム対２４’により挟まれる。
【００４６】
プラグコネクタ１とレセプタクルコネクタ２が連結する時、インシュレータ２１のロック部７１の上面にプラグコネクタ１の壁部１１ｇの下面が接触する。これによって、ロック部７１が壁部１１ｇによって補強される。インシュレータ２１からカバー４０が外れて雌型コンタクト２３、特に、電力伝送用コンタクト２３ａ，２３ｇの充電部が露出してしまうことが回避又は抑制される。
【００４７】
最後に図１２を参照してレセプタクルコネクタ２の製造方法について説明する。まず、２つの金属部材を組み合わせてコンタクトを構成する（Ｓ１）。例えば、射出成形用の固定型上に２つの金属部材を配置する。固定型は、金属部材を支持する支持部を有し、固定型上での金属部材の位置決めが行われる。次に、コンタクトに対して一次射出成形を行うことで一次射出成形品を得る（Ｓ２）。例えば、固定型と可動型を積層及び加圧した後、この金型装置に溶融樹脂を供給する。金型装置の冷却により２つの金属部材が一次射出成形部に部分的に埋め込まれて固定された一次射出成形品が得られる。なお、一つの一次射出成形品が一つのコンタクトを有する形態に限らず、一つの一次射出成形品が複数のコンタクトを有する形態も想定される。次に、１つ又は複数の一次射出成形品に対して二次射出成形を行い、コンタクト群が設けられたインシュレータを形成する（Ｓ３）。例えば、一次射出成形品を固定型上に配置する。固定型は、一次射出成形品を支持する支持部を有し、固定型上での一次射出成形品の位置決めが行われる。次に、一次射出成形品に対して二次射出成形を行い、一次射出成形品が二次射出成形部に部分的に又は全体的に埋め込まれた二次射出成形品が得られる。言うまでも無く、一次射出成形に用いられる金型装置と、二次射出成形に用いられる金型装置は、同一ではない。金型のキャビティー構造、樹脂材料、射出条件、樹脂材料等は当業者により適切に決定される。
【００４８】
上述の教示を踏まえると、当業者は、各実施形態及び各特徴に対して様々な変更を加えることができる。
【符号の説明】
【００４９】
１    プラグコネクタ
２    レセプタクルコネクタ
１１  インシュレータ
１２  雄型コンタクト群
１３  雄型コンタクト
２１  インシュレータ
２２  雌型コンタクト群
２３  雌型コンタクト
２８  貫通孔
２９  貫通孔
３１  金属部材
３２  金属部材
４０  カバー
７１  ロック部
【要約】
【課題】アーム対が有するべき所定のクリアランスのばらつきの防止、或いは、その微調整を促進する。
【解決手段】レセプタクルコネクタ２は、インシュレータ２１と、プラグコネクタ１及びレセプタクルコネクタ２の着脱方向Ｄ１に対し直交する幅方向Ｄ２に沿ってインシュレータ２１において複数の雌型コンタクト２３が配列された雌型コンタクト群２２を有する。雌型コンタクト２３は、プラグコネクタ１の雄型コンタクト１３を挟持するアーム対２４’と、電線が電気的に接続されるべき接続部２５を有する。雌型コンタクト２３は、分離独立した金属部材３１，３２を電気的に接続するように組み合わせて構成され、金属部材３１，３２は、雌型コンタクト２３がアーム対２４’及び接続部２５を有するように組み合わされる。
【選択図】図８【図１】
0006928285.tif 000002
【図２】
0006928285.tif 000003
【図３】
0006928285.tif 000004
【図４】
0006928285.tif 000005
【図５】
0006928285.tif 000006
【図６】
0006928285.tif 000007
【図７】
0006928285.tif 000008
【図８】
0006928285.tif 000009
【図９】
0006928285.tif 000010
【図１０】
0006928285.tif 000011
【図１１】
0006928285.tif 000012
【図１２】
0006928285.tif 000013
【図１３】
0006928285.tif 000014